(57)【要約】  本発明は、少なくとも１つのハンドルを有するケーシングを有する蓄電池に関し、ハンドルは、ケーシングと一体に形成され、ケーシングの上側表面中に少なくとも部分的に凹まされている。
2008502099.tif 000002
【特許請求の範囲】
【請求項１】
ケーシングを有する蓄電池であって、
前記ケーシングが、該ケーシングと一体に形成され、前記ケーシングの上側表面中に少なくとも部分的に凹まされた、少なくとも１つのハンドルを有する、蓄電池。
【請求項２】
請求項１に記載の蓄電池において、該蓄電池が２つのハンドルを有し、各ハンドルが、前記ケーシングの上側表面中に少なくとも部分的に凹まされている、蓄電池。
【請求項３】
請求項１に記載の蓄電池において、該蓄電池が前記ケーシングの上側表面中に少なくとも部分的に凹まされた第１のハンドルと、前記ケーシングの側面から突出する第２のハンドルとを有する、蓄電池。
【請求項４】
請求項３に記載の蓄電池において、該蓄電池が水平面においてほぼ四角形の断面を有し、前記第１のハンドルが前記蓄電池の一方末端部の近辺に位置決めされ、前記第２のハンドルが前記蓄電池の反対側末端部にある前記ケーシングの側壁から突出する、蓄電池。
【請求項５】
請求項１から４のいずれかに記載の蓄電池において、前記少なくとも１つの少なくとも部分的に凹まされたハンドルが前記ケーシングの上側表面中に完全に凹まされている、蓄電池。
【請求項６】
請求項１から５のいずれかに記載の蓄電池において、前記ケーシングの上側表面がふたの形であり、前記少なくとも１つの少なくとも部分的に凹まされたハンドルが前記ふたと一体に形成されている、蓄電池。
【請求項７】
請求項１から６のいずれかに記載の蓄電池において、前記少なくとも１つの少なくとも部分的に凹まされたハンドルが、使用時、ユーザが握るプロフィール部材を有する、蓄電池。
【請求項８】
請求項１から７のいずれかに記載の蓄電池において、該蓄電池が水平面においてほぼ四角形の断面を有し、前記少なくとも１つの少なくとも部分的に凹まされたハンドルが、前記ケーシングの上側表面中に形成され、前記蓄電池の長さ方向に直交する方向に延在するハンドル部材と、前記ハンドル部材の下に形成されたユーザの指を入れるための凹部とを有する、蓄電池。
【請求項９】
請求項８に記載の蓄電池において、前記凹部が、前記蓄電池に対して長さ方向に延び、支持部材によって前記ハンドル部材に接続されたリブを有する、蓄電池。
【請求項１０】
請求項１から９のいずれかに記載の蓄電池において、該蓄電池が密封された鉛酸蓄電池である、蓄電池。
【請求項１１】
ふたを含むケーシングを有する蓄電池であって、前記ふたが、１回の成形で前記ふたと一体に形成され、前記ふたの上側表面中に少なくとも部分的に凹まされている、少なくとも１つのハンドルを有する、蓄電池。
【発明の詳細な説明】
【技術分野】
【０００１】
本発明は、蓄電池のためのハンドル、例えば鉛酸蓄電池のためのハンドルに関する。
【背景技術】
【０００２】
鉛酸蓄電池は、通常、複数の正極プレート及び複数の負極プレートを含む。プレートは、通常、四角形であり、交互に一緒に積み重ねられている。プレート・スタックは、箱状のケーシング中に保持される。使用時、プレートは、酸電解質中に浸漬される、又は酸電解質含有物質と接触状態である。
【０００３】
従来の鉛酸蓄電池は、いろいろな形のハンドルを有する。通常、それらのハンドルは、蓄電池の容器又はふたと別々に製造され、鋳造物、プラスチックのロープやウエビングの形を取ることができる。或いは、ハンドルは、蓄電池の容器又はふた中に含まれるプロフィールの形とすることができる。
【０００４】
これらの知られた蓄電池ハンドルの設計では、ケーシングの主な構成要素と別々に製造される構成要素が必要であり、それによって、蓄電池のコストが増加する、及び／又はハンドルのプロフィールを収容するための追加のスペースが必要になる。鉛酸蓄電池は、キャビネット又はラック中に、しばしば多数で保管され、したがって各蓄電池が占めるスペースが減少することが望ましい。
【発明の開示】
【発明が解決しようとする課題】
【０００５】
本発明は、これらの問題を克服又は緩和しようとするものである。
【０００６】
本発明は、ケーシングを有する蓄電池であって、ケーシングが、ケーシングと一体に形成され、ケーシングの上側表面中に部分的に凹まされた、少なくとも１つのハンドルを有する、蓄電池を提供する。
【課題を解決するための手段】
【０００７】
本発明のハンドルは、使用時、ユーザが握ることができる十分な指用空間をそのまわりに有するハンドル部材を有する。ハンドル部材及び／又は指用空間は、少なくとも部分的に、好ましくは十分に、ケーシングの上側表面中に「沈んでおり」、それによって、蓄電池の構成要素内のスペースが利用でき（殊に、蓄電池の電解質の上の上部空間）、蓄電池を保管するために必要なキャビネットのスペース容積が低減する。したがって、ハンドル部材の領域中で、ケーシングが、蓄電池の内側へ突出するように形作られ、それによって、ハンドル部材のまわりに「指用空間」が形成される。
【０００８】
一実施例では、蓄電池は、２つのハンドルを含み、そのそれぞれが、ケーシングの上側表面中に、少なくとも部分的に凹まされている。好ましくは、それらハンドルが、隔置され、互いに反対方向に配置される。
【０００９】
ある場合には、少なくとも１つの凹まされたハンドルに加え、蓄電池のケーシングの側壁から突出するハンドルを設けることは、受け入れることができるはずである。その構成は、蓄電池のケーシングの側壁から突出するコネクタ・スタッドを有する蓄電池に殊に適し、その場合では、突出するハンドルが、望ましくは、その同じ壁からスタッドと等しい又はそれより長い程度に延在する。したがって、一実施例では、蓄電池は、ケーシングの上側表面中に少なくとも部分的に凹まされた第１のハンドルと、ケーシングの側壁から突出する第２のハンドルとを有する。有利には、蓄電池が、水平面においてほぼ四角形の断面を有し、第１のハンドルが蓄電池の一方の末端部の近辺に位置決めされ、第２のハンドルが蓄電池の反対側末端部においてケーシングの側壁から突出する。
【００１０】
少なくとも１つの凹まされたハンドルが、ケーシングの上側表面中に部分的にのみ凹まされるが、しかしながら、好ましくは、そのハンドルが、完全に凹まされ、したがってハンドルのどの部分もケーシングから上方に突出しないものも、本発明の範囲内に含まれる。
【００１１】
通常、ケーシングは、プレートが蓄電池の製造中に配置される容器と、その容器のためのふたとを含むはずである。その実施例では、少なくとも部分的に凹まされたハンドル又はハンドルが、ふた中に形成される。
【００１２】
少なくとも部分的に凹まされたハンドルが、ケーシングと一体に形成され、したがってケーシングに対して移動可能でない。これは、非一体化ハンドルに比べて、製造の経済性及び単純化、並びに堅牢性という重要な利益をもたらす。ハンドルは、単一成形でふたと一体に形成することができる。
【００１３】
ユーザが握るハンドルの部材は、任意の適切な形のものとすることができる。有利には、その部材がバーの形である。有利には、外部材がプロフィール部材であり、例えば部材は「Ｌ」字型プロフィールを有することができる。
【００１４】
蓄電池は、水平面においてほぼ四角形の断面を有することができ、少なくとも部分的に凹まされたハンドル又はハンドルは、ケーシングの上側表面中に形成され、蓄電池の長さ方向に対して直交方向に延在し、ハンドル部材の下に形成されるユーザの指のための凹部を有するハンドル部材を有することができる。凹部は、蓄電池の長さに対して直交方向に延び、支持部材によってハンドル部材に接続されたリブを含むことができ、それによってハンドル部材が支持され、補強される。蓄電池は、セル間に隔壁を有するマルチセル蓄電池とすることができる。有利には、リブがケーシング中に形成されるセルの隔壁と一体である。
【００１５】
本発明は、すべてのタイプの蓄電池に適用でき、例えば蓄電池は、鉛酸蓄電池、殊に密封される鉛酸蓄電池とすることができる。
【００１６】
「上側」及び「側面」などの用語は、その通常の動作方向にあるときの蓄電池を指すものとして理解するべきである。
【実施例】
【００１７】
ここで、本発明の実施例は、例示する目的のみで、図面を参照して述べる。
【００１８】
図１に、箱２及びふた３を含むケーシングを有する、密封された鉛酸蓄電池１を示す。蓄電池は、６個のセルの密封された鉛酸蓄電池であり、ふたは、６個のガス抜き４を含む。蓄電池のふたの一方末端部には、「Ｌ」字型ブラケット７、８を備えたターミナル５、６が存在する。それらブラケットは、蓄電池の末端部の上に延在し、蓄電池の末端部側壁１１から外側に突出するコネクタ・スタッド９、１０を有する。それらスタッドの下に、末端部側壁１１から突出するプロフィールである、従来のハンドル１２が存在する。
【００１９】
ふたの他方末端部の方に、凹まされたハンドル１３が存在し、それは、図２に示すように、蓄電池のふたの幅方向にわたって延在するプロフィールハンドル部材１４と、ユーザの指が入る凹部１５とを含む。凹部は、ハンドル部材１４の近辺で、電極プレートの上の上部空間中に下方に突き出たケーシングの上側壁によって画定されている。ハンドルは、長さ方向に凹部１５を通って延び、支持部材１７によってプロフィールハンドル部材１４に接続されたリブ１６も有する。
【００２０】
図３に、垂直面で蓄電池に対して長さ方向に蓄電池を通る部分断面図を示す。図３から分かるように、プロフィールハンドル部材１４は、強度を増すために、「Ｌ」字型プロフィールを有する。やはり図３から分かるように、ふた３中の凹部１５は、電解質吸収物質１９及びプレート２０の上の上部空間１８中に出っ張っている。
【図面の簡単な説明】
【００２１】
【図１】本発明による蓄電池の斜視図である。
【図２】図１に示す蓄電池のハンドルの拡大図である。
【図３】図２に示すハンドルの部分断面図である。
【図１】
2008502099.tif 000003
【図２】
2008502099.tif 000004
【図３】
2008502099.tif 000005
【国際調査報告】
2008502099.tif 000006
2008502099.tif 000007